(57)【特許請求の範囲】
【請求項１】
コンテナ本体の底部に複数の貫通孔を前記コンテナ本体の長手方向及び短手方向のそれぞれに複数個並ぶ状態で備えるコンテナであって、
前記コンテナ本体の物品収容空間を仕切る仕切り板の底側の複数箇所を取り外し自在に係止させる複数個の取付け孔が前記底部に、前記仕切り板の横側を取り外し自在に係止させる係止部がコンテナ本体の側壁部にそれぞれ設けられるとともに、
前記複数個の取付け孔を前記貫通孔と同一又はほぼ同一又は前記貫通孔より小に形成し、
前記底部の裏面側に格子状に並んで突出する帯板状リブを設け、前記底部のうちの前記取付け孔の周囲に位置する部分からこれの裏面側に突出して仕切り板支持の補強を行う筒状のリブを備えてあるコンテナ。
【請求項２】
前記仕切り板がこれによる仕切り方向に並ぶ複数の取付け位置に取り付け変更自在な仕切り板であり、前記複数個の取付け孔及び前記係止部が前記複数の取付け位置それぞれに対応させて備えられている請求項１記載のコンテナ。
【請求項３】
前記仕切り板が前記コンテナ本体の短辺側の側壁部に沿う方向の短手仕切り板であるとともに、前記コンテナ本体の長辺側の側壁部に沿う方向の長手仕切り板を着脱自在に備え、前記長手仕切り板の底側の複数箇所を取り外し自在に係止させるように、かつ、前記貫通孔と同一又はほぼ同一又は前記貫通孔より小に形成した複数個の取付け孔が前記底部に設けられるとともに、前記長手仕切り板の横側を取り外し自在に係止させる係止部が前記コンテナ本体の側壁部に設けられ、前記短手仕切り板の横側を取り外し自在に係止させる係止部が前記長手仕切り板に設けられている請求項１又は２記載のコンテナ。
【請求項４】
前記短手仕切り板の一対を備えるとともに、一方の短手仕切り板を、前記コンテナ本体の一対の長辺側の側壁部のうちの一方の側壁部と前記長手仕切り板との間にコンテナ本体の長手方向に並ぶ複数の取付け位置に取り付け変更自在に備え、他方の短手仕切り板を、他方の側壁部と前記長手仕切り板との間にコンテナ本体の長手方向に並ぶ複数の取付け位置に取り付け変更自在に備え、前記一対の短手仕切り板それぞれを別々に付け替え自在に備えてある請求項３記載のコンテナ。
【請求項５】
前記コンテナ本体が図書収容用である請求項１〜４のいずれか１項に記載のコンテナ。
【発明の詳細な説明】
【０００１】
【発明の属する技術分野】
本発明は、書籍類や新聞類とかの図書など各種の物品を収容して保管したり運搬するとかに使用するコンテナ、詳しくはコンテナ本体の底部に複数の貫通孔を備えるコンテナに関する。
【０００２】
【従来の技術】
上記コンテナは、前記貫通孔によって通気を図ったり軽量化を図ることを可能にされたものである。
コンテナ本体の物品収容空間のための仕切り板を着脱自在に備えると、収容する物品の種類とか大きさや量とかによって仕切り板を着脱し、物品を種類分けやサイズ分けして収容したり、動くとか倒れるとかしないように仕切り板で支持させながら収容するとか、仕切りのない大きな物品収容空間に収容するなど便利に使用できる。
仕切り板を着脱自在に備えるコンテナにおいて、従来、たとえば実開昭６３−１７５０２８号公報に示されるように、仕切り板の底側に突出する係止舌片が係止する係止凹溝をコンテナ本体の底部に設け、仕切り板の上板部の両端側が係合する係合凹溝をコンテナ本体の側壁部に設けられたものがあった。すなわち、仕切り板を底側と横側の両側で容易には外れたりずれ動かないようにコンテナ本体に係止させながら使用できるものがあった。
【０００３】
【発明が解決しようとする課題】
従来の仕切り板取付け技術の場合、コンテナ本体の底部に、仕切り板係止用の係止凹溝に起因する強度低下が発生しやすくなっていた。
本発明の目的は、仕切り板を必要時には強固に取り付けられながら、コンテナ本体の強度低下を抑制しやすいコンテナを提供することにある。
【０００４】
【課題を解決するための手段】
目的達成のために、請求項１に記載の発明は、コンテナ本体の底部に複数の貫通孔を前記コンテナ本体の長手方向及び短手方向のそれぞれに複数個並ぶ状態で備えるコンテナにおいて、コンテナ本体の物品収容空間を仕切る仕切り板の底側の複数箇所を取り外し自在に係止させる複数個の取付け孔が前記底部に、前記仕切り板の横側を取り外し自在に係止させる係止部がコンテナ本体の側壁部にそれぞれ設けられるとともに、前記複数個の取付け孔を前記貫通孔と同一又はほぼ同一又は前記貫通孔より小に形成してある。
すなわち、仕切り板の横側をコンテナ本体の側壁部に係止させるとともに底側の複数箇所をコンテナ本体の底部の取付け孔に係止させ、仕切り板を横側と底側の両側でコンテナ本体に係止させるものである。コンテナ本体の底部の各取付け孔が貫通孔と同一又はほぼ同一又は貫通孔より小であることにより、そして、複数個の取付け孔で係止させることにより、底部の取付け孔形成に起因する強度低下を抑制しながら、かつ、各取付け孔の大きさの割りには仕切り板を強固に支持する強度を底部に具備させられる。これにより、仕切り板を容易には外れたりずれ動いたりしないように強固に支持させるとともにコンテナ本体を強固なものにし、物品を適切に分類分けしたり確実に支持させたりしながら収容できる。
又、前記底部のうちの前記取付け孔の周囲に位置する部分からこれの裏面側に突出して仕切り板支持の補強を行うリブを備えてあり、仕切り板の底側での支持強度をリブによって一層高められるものである。これにより、仕切り板を一層強固に支持させて物品を一層信頼性の高い状態に分別して収容できる。
【０００５】
請求項２に記載の発明によれば、前記仕切り板がこれによる仕切り方向に並ぶ複数の取付け位置に取り付け変更自在な仕切り板であり、前記複数個の取付け孔及び前記係止部が前記複数の取付け位置それぞれに対応させて備えられている。すなわち、仕切り板を複数の取付け位置に付け替えることによって仕切り板の両側にできる仕切り空間部分の大きさや形状を変更できるとともに、仕切り板をいずれの取付け位置に付けても強固に支持させられるものである。これにより、必要に応じ、仕切り空間部分を適切な大きさや形状に変更するとともに仕切り板をいずれの取付け位置でも強固に支持させ、物品を適切な量に分けたり、適切な分類分けにしたりしながら収容できる。
【０００６】
請求項３に記載の発明によれば、前記仕切り板が前記コンテナ本体の短辺側の側壁部に沿う方向の短手仕切り板であるとともに、前記コンテナ本体の長辺側の側壁部に沿う方向の長手仕切り板を着脱自在に備え、前記長手仕切り板の底側の複数箇所を取り外し自在に係止させるように、かつ、前記貫通孔と同一又はほぼ同一又は前記貫通孔より小に形成した複数個の取付け孔が前記底部に設けられるとともに、前記長手仕切り板の横側を取り外し自在に係止させる係止部が前記コンテナ本体の側壁部に設けられ、前記短手仕切り板の横側を取り外し自在に係止させる係止部が前記長手仕切り板に設けられている。
すなわち、物品収容空間を短手仕切り板によってコンテナ本体の長手方向に仕切りることができ、長手仕切り板によってコンテナ本体の短手方向に仕切ることができるものである。しかも、長手仕切り板は横側と底側の両側で支持させ、短手仕切り板はコンテナ本体の側壁部と長手仕切り板とに両横側で支持させるとともにコンテナ本体の底部に底側で支持させ、それぞれの底側を底部の複数個の取付け孔に係止させ、長手仕切り板も短手仕切り板も強固に支持させられるものである。その割りには、コンテナ本体の底部の取付け孔が底部の貫通孔と同一又はほぼ同一又は前記貫通孔より小で、底部の強度低下を抑制できるものである。これにより、物品収容空間をコンテナ本体の長手方向にも短手方向にも仕切り、物品を数多くの分類やサイズに分けて収容できる。しかも、長手仕切り板も短手仕切り板も強固に支持されるとともにコンテナ本体が強固であるコンテナを数多い分類分けやサイズ分けなどが可能な状態に得られる。
【０００７】
請求項４に記載の発明によれば、前記短手仕切り板の一対を備えるとともに、一方の短手仕切り板を、前記コンテナ本体の一対の長辺側の側壁部のうちの一方の側壁部と前記長手仕切り板との間にコンテナ本体の長手方向に並ぶ複数の取付け位置に取り付け変更自在に備え、他方の短手仕切り板を、他方の側壁部と前記長手仕切り板との間にコンテナ本体の長手方向に並ぶ複数の取付け位置に取付け変更自在に備え、前記一対の短手仕切り板それぞれを別々に付け替え自在に備えてある。
すなわち、長手仕切り板の両側に位置する仕切り空間部分それぞれを短手仕切り板によってコンテナ本体の長手方向に仕切れるものである。一対の短手仕切り板それぞれを別々に付け替え、長手仕切り板の両側に位置する仕切り空間部分それぞれの短手仕切り板による仕切り方を別々に変更できるものである。これにより、コンテナ本体の物品収容空間を一層数多くの仕切り空間部分に仕切ったり、大きさや形が各種異なる仕切り空間部分に仕切ることができ、長手仕切り板も短手仕切り板も強固に支持されるとともに底部が強固であるコンテナが物品を一層多くの分類やサイズに分けて収容できる状態に得られる。
【０００９】
請求項５に記載の発明によれば、前記コンテナ本体が図書収容用である。すなわち、たとえば、書籍類の場合、仕切り板を仕切り位置に強固に取り付けて確実に分類分けやサイズ分けするとか、書籍類を倒れないように仕切り板で強固に支持させるなどしながら収容できる。そして、新聞類など比較的大型のものの場合、仕切り板を仕切り位置から取り外して収容空間を大きくし、平置きで収容できる。
【００１０】
【発明の実施の形態】
図１に示すように、一対の第１図書類収納棚Ｒ１，Ｒ１と、第１図書類収納棚Ｒ１とＲ１の間を床上の一本の走行用レール１と天井側の一本のガイドレール（図示せず）に沿って走行移動する第１スタッカクレーンＳ１と、一対の第２図書類収納棚Ｒ２，Ｒ２と、第２図書類収納棚Ｒ２とＲ２の間を床上の一本の走行用レール２と天井側の一本のガイドレール（図示せず）に沿って走行移動する第２スタッカクレーンＳ２と、第１図書類収納棚Ｒ１及び第２図書類収納棚Ｒ２の横側を床上の一対の走行用レール３，３に沿って走行移動するトラバーサ４と、制御装置５を備えるステーション６とにより、図書類保管システムを構成してある。
この図書類保管システムは、書籍類、新聞類などの図書、図書以外のＣＤカセットやテープカセットなどを大小２種類のコンテナＣＳ，ＣＬに入れ分けて保管するもので、制御装置５を操作して図書類取り出しの指令を与えると、その図書類が小型コンテナＣＳに入れて収納されている場合には、第１スタッカークレーンＳ１がこれに備えてある移載装置１０によって第１図書類収納棚Ｒ１の所定の収納部７から図書類をコンテナＣＳに入れたままで取り出し、この後、第１図書類収納棚Ｒ１とＲ１の間の横外側の乗降位置まで走行してトラバーサ４に乗り、トラバーサ４が第１スタッカクレーンＳ１をステーション６まで搬送し、図書類が小型コンテナＣＳに入ったままでステーション６に搬送されて来る。取り出すよう指定した図書類が大型コンテナＣＬに入れて収納されている場合には、第２スタッカークレーンＳ２がこれに備えてある移載装置１０によって第２図書類収納棚Ｒ２の所定の収納部７から図書類をコンテナＣＬに入れたままで取り出し、この後、第２図書類収納棚Ｒ２とＲ２の間の横外側の乗降位置まで走行してトラバーサ４に乗り、トラバーサ４が第２スタッカクレーンＳ２をステーション６まで搬送し、図書類が大型コンテナＣＬに入ったままでステーション６に搬送されて来る。
また、制御装置５を操作して図書類収納の指令を与えると、その図書類が小型コンテナＣＳに入れて収納するべきものである場合には、第１スタッカークレーンＳ１がこれの移載装置１０によって第１図書類収納棚Ｒ１の所定の収納部７からコンテナＣＳを取り出し、この後、前記乗降位置まで走行してトラバーサ４に乗り、トラバーサ４が第１スタッカクレーンＳ１をステーション６まで搬送し、小型コンテナＣＳがステーション６に搬送されて来る。このコンテナＣＳに図書類を入れて始動操作すると、トラバーサ４が第１スタッカクレーンＳ１を乗せて走行し、トラバーサ４が第１図書類収納棚Ｒ１の横外側の乗降位置に到達すると、第１スタッカクレーンＳ１がトラバーサ４から降りて第１図書類収納棚Ｒ１とＲ１の間に入り、移載装置７を第１図書類収納棚Ｒ１の所定の収納部７に位置合わせして図書類をコンテナＣＳに入れたままでその収納部７に収納する。収納するよう指定した図書類が大型コンテナＣＬに入れて収納するべきものである場合には、第２スタッカークレーンＳ２がこれの移載装置１０によって第２図書類収納棚Ｒ２の所定の収納部７からコンテナＣＬを取り出し、この後、前記乗降位置まで走行してトラバーサ４に乗り、トラバーサ４が第１スタッカクレーンＳ１をステーション６まで搬送し、大型コンテナＣＬがステーション６に搬送されて来る。このコンテナＣＬに図書類を入れて始動操作すると、トラバーサ４が第２スタッカクレーンＳ２を乗せて走行し、トラバーサ４が第２図書類収納棚Ｒ２の横外側の乗降位置に到達すると、第２スタッカクレーンＳ２がトラバーサ４から降りて第２図書類収納棚Ｒ１とＲ２の間に入り、移載装置１０を第２図書類収納棚Ｒ２の所定の収納部７に位置合わせして図書類をコンテナＣＬに入れたままでその収納部７に収納する。詳しくは次の如く構成してある。
【００１１】
図１〜図３に示すように、第１図書類収納棚Ｒ１も第２図書類収納棚Ｒ２も、複数の前記収納部７を収納棚Ｒ１，Ｒ２の上下方向及び横方向に並ぶ状態で備えている。第１図書類収納棚Ｒ１の収納部７も、第２図書類収納棚Ｒ２の収納部７も、収納棚Ｒ１，Ｒ２の横方向に並ぶ複数の棚上下フレーム８のうちの隣接し合う一対の棚上下フレーム８，８の一方からフレーム間に延出するコンテナ載置棚板９と、他方からフレーム間に延出するコンテナ載置棚板９とによって形成してあり、図書などの入ったコンテナＣＳ，ＣＬを棚上下フレーム８どうしの間の出入れ口から挿入して左右一対の棚板９，９にわたって載置するようにしてある。一対の第１図書類収納棚Ｒ１，Ｒ１も、一対の第２図書類収納棚Ｒ２，Ｒ２もそれらのコンテナ出入れ口が向かい合うように配置してある。
【００１２】
図４に示すように、第１スタッカクレーンＳ１の移載装置１０も、第２スタッカクレーンＳ２の移載装置１０も、スタッカークレーンＳ１，Ｓ２に昇降操作自在に支持される移載装置フレーム１１、このフレーム１１が支持する左右一対のベルトコンベア１２，１２、両ベルトコンベア１２，１２の間に位置する係止具１３ａを備えるコンテナ出入れ装置１３、このコンテナ出入れ装置１３を摺動自在に支持する支持フレーム１４の下側に位置する昇降操作カム１５などを備え、図５〜図７に示す如くコンテナＣＳ，ＣＬを収納部７から取出して保持したり、保持するコンテナＣＳ，ＣＬを収納部７に収納したりする。
すなわち、コンテナＣＳ，ＣＬを収納部７から取出す場合、移載装置フレーム１１が昇降操作されて両ベルトコンベア１２，１２の上方が所定の収納部７のコンテナ出入れ口の前側に合致する出入れ作業位置に到達して停止されると、電動モータ１６が駆動され、このモータ１６によって回転駆動されるピニオンギヤ１７が前記コンテナ出入れ装置１３のフレーム１３ｂのラックギヤ部に噛み合っていることによってコンテナ出入れ装置１３の一端側を移載装置フレーム１１から収納部７の方に突出させるとともに、無端回動帯１３ｃが駆動されて係止具１３ａをフレーム１３ｂの一端側に移動させる。係止具１３ａの左右一対の係止爪部がコンテナＣＳ，ＣＬの端部に位置する左右一対の引出し係止部２０の下方に到達して検出スイッチ１７がコンテナＣＳ，ＣＬの検出対象部２１に当接すると、無端回動帯１３ｃの駆動が停止されて係止具１３ａの係止爪部が前記引出し係止部２０の下方に停止する。すると、前記昇降操作カム１５が電動モータ（図示せず）によって回転駆動され、前記支持フレーム１４の操作部１４ａに押し上げ作用して支持フレーム１４を移載装置フレーム１１に立設する支柱１８に沿わせて上昇させることにより、コンテナ出入れ装置１３の全体を移載装置フレーム１１に対して上昇させる。この上昇によって係止具１３ａの左右一対の係止爪部がコンテナＣＳ，ＣＬの左右一対の引出し係止部２０の後側の凹入部に入り込むと、昇降操作カム１５の回転駆動を停止させて係止具１３ａの係止爪部をコンテナＣＳ，ＣＳの前記凹入部に入り込んだ状態に維持しながら無端回動帯１３ｃを先とは逆回転方向に駆動するとともに前記一対のベルトコンベア１２，１２を駆動し、コンテナ出入れ装置１３による係止搬送作用と両ベルトコンベア１２の載置搬送作用とにより、コンテナＣＳ，ＣＬを収納部７からベルトコンベア１２，１２の上に引き出すとともに収納部７から離れる側に移動させる。コンテナＣＳ，ＣＬが両ベルトコンベア１２，１２の直上方に位置する搬送用位置に到達すると、コンテナ出入れ装置１３及び両ベルトコンベア１２，１２の駆動を停止し、コンテナＣＳ，ＣＬを前記搬送用位置に両ベルトコンベア１２，１２によって保持する。
【００１３】
コンテナＣＳ，ＣＬを収納部７に収納する場合、移載装置フレーム１１が昇降操作されて両コンベア１２，１２にわたって載っているコンテナＣＳ，ＣＬが所定の収納部７のコンテナ出入れ口の前側に合致する出入れ作業位置に到達して停止されると、係止具１３ａの係止爪部をコンテナＣＳ，ＣＬの前後両端側に位置する前記引出し係止部２１のうちのコンテナ収納を行うべき収納部７とは反対側に位置する方の引出し係止部２０の後側に位置する凹入部に入り込ませた状態にしながら、コンテナ出入れ装置１３を前記電動モータ１６で回動駆動されるピニオンギヤ１７よって収納部７の方に移動させるとともに、係止具１３ａを無端回動帯１３ｃによって同方向に移動させ、コンテナ出入れ装置１３による係止搬送作用と両ベルトコンベア１２の載置搬送作用とにより、コンテナＣＳ，ＣＬを両ベルトコンベア１２の上から収納部７のコンテナ載置棚板９の上に押し込み操作する。コンテナ出入れ装置１３が移載装置フレーム１１から収納部７の方に所定長さ突出してコンテナＣＳ，ＣＬが収納部７の所定位置まで入り込むと、コンテナ出入れ装置１３及び両ベルトコンベア１２の駆動を停止してコンテナＣＳ，ＣＬの押し込みを停止するとともに、前記昇降操作カム１３が回転駆動されて前記支持フレーム１４の操作部１４ａに対する押し上げ作用を解除し、支持フレーム１４を支柱１８に沿わせて下降させることによってコンテナ出入れ装置１３の全体を移載装置フレーム１１に対して下降させて係止具１３ａの係止爪部をコンテナＣＳ，ＣＬの前記凹入部から抜き下げ、コンテナＣＳ，ＣＬを収納部７の一対のコンテナ載置棚板９，９にわたって載置する。
【００１４】
図２及び図３に示すように、第１図書類収納棚Ｒ１及び第２図書類収納棚Ｒ２それぞれの各収納部７に、前記一対のコンテナ載置棚板９，９それぞれによって回動自在に支持されるローラ７ａを設け、第１スタッカクレーンＳ１及び第２スタッカクレーンＳ２それぞれの移載装置１０に、前記一対のベルトコンベア１２，１２それぞれのフレームに回動自在に支持されるローラ１９を設けてある。コンテナＣＳ，ＣＬが収納棚Ｒ１，Ｒ２から移載装置１０に引き出される際にも、移載装置１０から収納棚Ｒ１，Ｒ２に押し込まれる際にも、コンテナＣＳ，ＣＬの一端側が前記コンテナ載置棚板９と移載装置１０のベルトコンベア１２との間に位置してコンテナ載置棚板９によってもベルトコンベア１２によっても受け止め支持されなくなる事態が発生する。この事態が発生した場合にも、前記各ローラ７ａ，１９は、コンテナＣＳ，ＣＬの両横外面側の下部に位置するローラ係止溝２２に入り込んでいて係止作用することにより、コンテナＣＳ，ＣＬが傾斜姿勢になることを防止するものである。すなわち、コンテナＣＳ，ＣＬをコンテナ載置棚板９とベルトコンベア１２との間に位置した側とは反対側がコンテナ載置棚板９やベルトコンベア１２から浮き上がる傾斜姿勢にならないように支持するものである。
【００１５】
図８及び図９に示すように、前記小型コンテナＣＳは、矩形の底部２３、この底部２３の一対の短辺側の縁部それぞれに立設する短辺側の第１側壁部２４、一対の長辺側の縁部それぞれに立設する長辺側の第２側壁部２５のそれぞれで成る矩形のコンテナ本体２６と、このコンテナ本体２６の物品収容空間を長辺側の第２側壁部２５に沿う方向に仕切る一対の短手仕切り板としての第１仕切り板３０．３０と、コンテナ本体２６の物品収容空間を短辺側の第１側壁部２４に沿う方向に仕切る１枚の長手仕切り板としての第２仕切り板４０とによって構成してある。
【００１６】
コンテナ本体２６の前記底部２３は、裏面側に図１３に示す如き複数の帯板状リブ２３ａが格子状に並んで突出するように形成したポリプロピレン材製の板状体で作製し、一対の第１側壁部２４，２４は、外面側に複数の帯板状リブ２４ａが突出するように形成するとともに底部２３を成型する際に同時に成型したポリプロピレン材製の板状体で作製し、一対の第２側壁部２５，２５は、外面側に複数の帯板状リブ２５ａが突出するように形成するとともに底部２３を成型する際に同時に成型したポリプロピレン材製の板状体で作製してある。コンテナ本体２６の四つの側壁部２４，２５で成る周壁部のうちの一方の第２側壁部２５で成る周壁部分と、他方の第２側壁部２５で成る周壁部分とのそれぞれにこの周壁部分の上縁を第１側壁部２４で成る他の周壁部分の上縁よりも低くする切欠きＣが形成されるように、両第２側壁部２５の高さを両第１側壁部２４の高さよりも低くしてある。
つまり、コンテナ本体２６は、底部２３と四つの側壁部２４，２５とを一体成型して作製するとともに底部２３の裏面側にも、四つの側壁部２４，２５それぞれの外面側にも帯板状リブ２３ａ，２４ａ，２５ｂを設けて補強を図った合成樹脂製になっている。そして、コンテナ本体２６の上端側にコンテナ本体２６上向きに開口する物品出し入れ口を備えるとともに、一対の第２側壁部２５，２５それぞれに前記切欠きＣによってコンテナ本体２６横向きに開口するように形成される物品出入れ口を備えている。
【００１７】
図１１に示すように、前記第２仕切り板４０は、仕切り板４０の全周縁部に沿っている補強用の突条リブ４１、仕切り板４０の横方向に沿う方向の複数本の補強用の突条リブ４２、仕切り板４０の上下方向に沿う方向の複数本の補強用の突条リブ４３を両面側に備えるように形成したポリプロピレン材製の板状体で作製してある。第２仕切り板４０の底縁部の仕切り板横方向での複数箇所に、底縁から下向きに突出するようにして仕切り板４０を成型する際に同時に形成した底側取付け突起４４を備えさせ、第２仕切り板４０の両横縁部の上端部に、仕切り板４０から横外向きに突出するようにして仕切り板４０を成型する際に同時に形成した横側取付け突起４５を備えさせてある。
【００１８】
図９及び図１０に示すように、両第１側壁部２４，２４それぞれの内面側の側壁部横幅方向での中央部に設けた第１切欠き５０と、底部２３の短手方向での中央部に底部２３の長手方向に一直線状に並ぶ配置にしてコンテナ本体２６を成型する際に同時に形成した複数個の矩形貫通孔形状の第１取付け孔５１・・とにより、第２仕切り板４０をコンテナ本体２６の仕切り位置に取り付けるための第１取付け部５２を構成してある。両第１側壁部２４，２４それぞれの内面側の一方の第２側壁部２５の近くに位置する端部に設けた第２切欠き５３と、コンテナ本体２６の底部２３にこの底部２３の短手方向及び長手方向に並ぶ配置にしてコンテナ本体２６を成型する際に同時に形成した複数個の矩形貫通孔形状の第２取付け孔５４・・のうちの一方の第２側壁部２５に最も接近した箇所で第２側壁部２５に沿う方向の孔列を形成している複数個の第２取付け孔５４とにより、第２仕切り板４０をコンテナ本体２６の非仕切り位置に取り付けるための第２取付け部５５を構成してある。
【００１９】
すなわち、第２仕切り板４０を第１取付け部５２に位置合わせしながらコンテナ本体２６の上方から内部に挿入し、両横側の横側取付け突起４５それぞれを前記第１切欠き５０に入り込ませるとともに複数個の底側取付け突起４４を前記複数個の第１取付け孔５１に各別に挿入する。すると、第２仕切り板４０の底側がコンテナ本体２６の底部２３に複数本の底側取付け突起４４を介して底部２３の物品載置面に沿う方向にずれ動かないように係止され、両横側がコンテナ本体２６の第１側壁部２４に一つの横側取付け突起４５を介して第１側壁部２４の横幅方向にずれ動かないように係止される状態になる。これにより、第２仕切り板４０がコンテナ本体２６の横幅方向での中央部に位置する仕切り位置に第２側壁部２５に沿う方向の取り付け姿勢で付き、コンテナ本体２６の物品収容空間を第２仕切り板４０によって第１側壁部２４に沿う方向に二つの収納空間部分Ａ１，Ａ２に仕切れる。
この取付け状態にある第２仕切り板４０をコンテナ本体２６から上方に抜き上げ操作し、両横側の横側取付け突起４５それぞれを前記第１切欠き５０から抜き出すとともに複数個の底側取付け突起４４を前記第１取付け孔５１から抜き出すことにより、第２仕切り板４０を仕切り位置から取り外して前記非仕切り位置に付け替えられる。
【００２０】
第２仕切り板４０を第２取付け部５５に位置合わせしながらコンテナ本体２６の上方から内部に挿入し、両横側の横側取付け突起４５それぞれを前記第２切欠き５３に入り込ませるとともに複数個の底側取付け突起４４を前記複数個の第２取付け孔５４に各別に挿入する。すると、第２仕切り板４０の底側がコンテナ本体２６の底部２３に複数本の底側取付け突起４４を介して底部２３の物品載置面に沿う方向にずれ動かないように係止され、両横側がコンテナ本体２６の第１側壁部２４に一つの横側取付け突起４５を介して第１側壁部２４の横幅方向にずれ動かないように係止される状態になる。これにより、第２仕切り板４０がコンテナ本体２６の一方の第２側壁部２５の内面側近くの非仕切り位置に第２側壁部２５に間隔Ｄを隔てて近接するとともに沿う方向の取付け姿勢で、かつ、第２側壁部２５の物品出入れ口Ｃに臨む取り付け姿勢で付き、第２仕切り板４０を第２側壁部２５の物品出入れ口Ｃに対するカバーに利用しながらコンテナ本体２６の内部の片隅に収納できる。
この取付け状態にある第２仕切り板４０をコンテナ本体２６から上方に抜き上げ操作し、両横側の横側取付け突起４５それぞれを前記第２切欠き５３から抜き出すとともに底側取付け突起４４を前記第２取付け孔５４から抜き出すことにより、第２仕切り板４０を非仕切り位置から取り外して前記仕切り位置に付け替えられる。
【００２１】
第２仕切り板４０を非仕切り位置に取り付けた際の第２仕切り板４０と第２側壁部２５との前記間隔Ｄは、図１９に示す如く前記第１仕切り板３０を収納できるように第１仕切り板３０の板厚よりやや大きい間隔にしてある。
【００２２】
図１２に示すように、前記一対の第１仕切り板３０，３０のそれぞれは、仕切り板３０の全周縁部に沿っている補強用の突条リブ３１、仕切り板３０の横方向に沿う方向の一本の補強用の突条リブ３２、仕切り板３０の上下方向に沿う方向の一本の補強用の突条リブ３３を両面側に備えるように形成したポリプロピレン材製の板状体で作製してある。各第１仕切り板３０において、第１仕切り板３０の底縁部の仕切り板横方向での複数箇所に、底縁から下向きに突出するようにして仕切り板３０を成型する際に同時に形成した底側取付け突起３４を備えさせ、第１仕切り板３０の屈曲側横縁部の中間部に、仕切り板３０から横外向きに突出するようにして仕切り板３０を成型する際に同時に形成した第１横側取付け部３５を備えさせ、第１仕切り板３０の直線側横縁部の上端部に、仕切り板３０から横外向きに突出するようにして仕切り板３０を成型する際に同時に形成した第２横側取付け部３６を備えさせてある。
【００２３】
図９〜図１１に示すように、一対の第２側壁部２５，２５それぞれの内面側の上端部に第２側壁部２５の横幅方向に並ぶ状態にして設けた複数個の切欠き５６と、第２仕切り板４０の上端部に第２仕切り板４０の横幅方向に並べて設けた複数個の凹入部５７と、コンテナ本体２０の底部２３に設けてある前記複数個の第２取付け孔５４とにより、両第１仕切り板３０，３０のための取付け構造を構成してある。この取付け構造は、一対の第１仕切り板３０，３０が第１側壁部２４に沿う方向に並ぶように一方の第１仕切り板３０を前記一対の仕切り空間部分Ａ１，Ａ２のうちの一方の仕切り空間Ａ１で、他方の第１仕切り板３０を他方の仕切り空間Ａ２に配置して、それぞれの第１仕切り板３０を仕切り空間部分Ａ１，Ａ２において第２側壁部２５に沿う方向に並ぶ複数の取付け位置に取り付けるとともにその複数の取付け位置に別々に付け替えることを可能にするものであり、詳しくは次の如く構成してある。
【００２４】
すなわち、第１仕切り板３０を仕切り空間部分Ａ１，Ａ２に上方から挿入し、第１横側取付け部３５を第２側壁部２５のいずれか一つの切欠き５６に、第２横側取付け部３６を仕切り位置に付いている第２仕切り板４０のいずれか一つの凹入部５７にそれぞれ挿入するとともに、複数個の底側取付け突起３４を、底部２３の前記複数個の第２取付け孔５４のうちの第１横側取付け部３５が入り込む前記切欠き５６と第２横側取付け部３６が入り込む前記凹入部５７とを結ぶ直線に沿って第１側壁部２４に沿う方向に並ぶ複数個の第２取付け孔５４に挿入する。すると、第１仕切り板３０の底側が複数本の底側取付け突起３４を介してコンテナ本体２６の底部２３にこの底部２３の物品載置面に沿う方向にずれ動かないように係止され、一方の横側が第１横側取付け部３５を介してコンテナ本体２６の第２側壁部２５にこの側壁部２５の横幅方向にずれ動かないように係止され、他方の横側が第２仕切り板４０に第２横側取付け部３６を介して第２仕切り板４０の横幅方向にずれ動かないように係止される状態になる。これにより、第１仕切り板３０がコンテナ本体２６の物品収容空間のうちの前記仕切り空間部分Ａ１，Ａ２に位置する仕切り位置に第１側壁部２４に沿う方向の取り付け姿勢で付き、前記仕切り空間部分Ａ１，Ａ２を第１仕切り板３０によって第２側壁部２５に沿う方向に二つの収納空間部分に仕切れる。
この取付け状態にある第１仕切り板３０をコンテナ本体２６から上方に抜き上げ操作し、第１横側取付け部３５を第２側壁部２５の切欠き５６から、第２横側取付け部３６を第２仕切り板４０の凹入部５７から、底側取付け突起３４を底部２３の第２取付け孔５４からそれぞれ抜き出すことにより、第１仕切り板３０を前記仕切り位置から取り外せる。そして、第１横側取付け部３５を第２側壁部２５の別の切欠き５６に、第２横側取付け部３６を第２仕切り板４０の別の凹入部５７に、底側取付け突起３４を底部２３の長手方向に並ぶ別の第２取付け孔５４にそれぞれ付け替えることにより、第１仕切り板３０が前記複数の取付け位置のうちの別の取付け位置に付き、第１仕切り板３０によって形成される二つの仕切り空間部分の容積が相違したり同一になったりするように第１仕切り板３０による仕切り空間部分Ａ１，Ａ２の仕切り割合を変更できる。
【００２５】
一対の仕切り空間部分Ａ１，Ａ２の一方における第１仕切り板３０の複数の取付け位置と、他方における第１仕切り板３０の複数の取付け位置とが各別に第１仕切り板３０の移動方向での同一の取付け位置になるように、各第２側壁部２５の前記切欠き５６及び底部２３の前記第２取付け孔５４を配置してある。これにより、一方の仕切り空間部分Ａ１における複数の取付け位置のいずれに第１仕切り板３０を取り付ける場合でも、この第１仕切り板３０と、他方の仕切り空間部分Ａ２に取り付ける第１仕切り板３０とがコンテナ本体２６の短手方向に一直線状に並ぶ状態にして両第１仕切り板３０，３０を取り付け、仕切り空間部分Ａ１とＡ２の仕切り位置が同一になるようにして両空間部分Ａ１，Ａ２を仕切ることができる。
【００２６】
図１５に示すように、前記一対の第１仕切り板３０，３０それぞれの前記第２横側取付け部３６に、横幅Ｗ１が第１仕切り板３０の板厚Ｔより小さいブロック状の第１取付け部分３６ａと、この第１取付け部分３６ａの下方に第１取付け部分３６ａに対して第１仕切り板３０の一側面がわに偏って位置するとともに横幅Ｗ２が第１取付け部分３６ａの横幅Ｗ１よりも狭いブロック状の第２取付け部分３６ｂとを備えさせてある。第２仕切り板４０の前記複数個の凹入部５７それぞれに、横幅Ｗ３が前記第１取付け部分３６ａの横幅Ｗ１より広い第１凹入部分５７ａと、この第１凹入部分５７ａの下方に第１凹入部分５７ａの両横端側に別れて位置するとともに第１凹入部分５７ａに連通している一対の第２凹入部分５７ｂ，５７ｂとを備えさせて、第１仕切り板３０の横側を第２仕切り板４０に次の如く支持させるようにしてある。
【００２７】
すなわち、一方の仕切り空間部分Ａ１に取り付ける第１仕切り板３０と、他方の仕切り空間部分Ａ２に取り付ける第１仕切り板３０とをこれらの移動方向で異なる取り付け位置で取り付ける場合、仕切り空間部分Ａ１に取り付ける第１仕切り板３０の第２横側取付け部３６と、仕切り空間部分Ａ２に取り付ける第１仕切り板３０の第２横側取付け部３６とを、第２仕切り板４０の異なる凹入部５７にその上方から挿入する。すると、図１６（ロ）に示すように、各第１仕切り板３０の第１取付け部分３６ａが第２仕切り板４０の第１凹入部分５７ａに入り込むとともに第１仕切り板３０の第２取付け部分３６ｂが一対の第２凹入部分５７ｂ，５７ｂのいずれか一方に入り込み、この第２凹入部分５７ｂが第２取付け部分３６ｂを第２仕切り板４０の横幅方向に移動しないように係止する。これにより、第２仕切り板４０が第１仕切り板３０をこれの仕切り方向に移動不能に係止する。
【００２８】
仕切り空間部分Ａ１に取り付ける第１仕切り板３０と、仕切り空間部分Ａ２に取り付ける第１仕切り板３０とをこれらの移動方向で同一の取り付け位置に取り付ける場合、仕切り空間部分Ａ１に取り付ける第１仕切り板３０の第２横側取付け部３６も、仕切り空間部分Ａ２に取り付ける第１仕切り板３０の第２横側取付け部３６も、第２仕切り板４０の同一の凹入部５７にその上方から挿入する。すると、図１６（イ）に示すように、一方の第１仕切り板３０の第２取付け部分３６ｂと、他方の第１仕切り板３０の第２取付け部分３６ｂとが第２仕切り板４０の一対の第２凹入部分５７ｂ，５７ｂの一方と他方とに別れて入り込むとともに、一方の第１仕切り板３０の第１取付け部分３６ａと、他方の第１仕切り板３０の第１取付け部分３６ａとが第１仕切り板３０の移動方向に重なり合った状態で第２仕切り板４０の第１凹入部分５７ａに入り込み、第１凹入部分５７ａが両第１仕切り板３０の第１取付け部分３６ａを前記重なり状態のままで第２仕切り板４０の横幅方向に移動しないように係止する。これにより、第２仕切り板４０が２枚の第１仕切り板３０，３０を纏めてこれらの仕切り方向に移動不能に係止する。
【００２９】
図９に示すように、一対の第１側壁部２４，２４それぞれの前記第２切欠き５３が位置する方とは反対側の端部の内面側に設けた第３切欠き５８と、底部２３の短手方向での端部に底部２３の長手方向に一直線状に並ぶ配置にしてコンテナ本体２６を成型する際に同時に形成した複数個の矩形貫通孔形状の第３取付け孔５９・・とにより、一対の第１仕切り板３０、３０をコンテナ本体２６の非仕切り位置に取り付けるための第３取付け部６０を構成してある。
【００３０】
すなわち、一方の第１仕切り板３０は前記第３取付け部６０のうちの一方の第１側壁部２４が位置する部分に位置合わせして、他方の第１仕切り板３０は前記第３取付け部６０のうちの他方の第１側壁部２４が位置する部分に位置合わせしてコンテナ本体２６の上方から内部に挿入し、第２横側取付け部３６を第１側壁部２４の第３切欠き５８に入り込ませるとともに複数個の底側取付け突起３４を前記複数個の第３取付け孔５９に各別に挿入する。すると、第１仕切り板３０の底側が複数本の底側取付け突起３４を介してコンテナ本体２６の底部２３にこの底部２３の物品載置面に沿う方向にずれ動かないように係止され、横側が第２横側取付け部３６を介してコンテナ本体２６の第１側壁部２４にこの側壁部２４の横幅方向にずれ動かないように係止される状態になる。これにより、一方の第１仕切り板３０はコンテナ本体２６の一方の第２側壁部２５の横一端側の内面側に位置する非仕切り位置に第２側壁部２５に接近するとともに沿う方向の取付け姿勢で、かつ、第２側壁部２５の物品出入れ口Ｃの一端側に臨む取り付け姿勢で付き、他方の第１仕切り板３０はコンテナ本体２６の一方の第２側壁部２５の横他端側の内面側に位置する非仕切り位置に第２側壁部２５に接近するとともに沿う方向の取付け姿勢で、かつ、第２側壁部２５の物品出入れ口Ｃの他端側に臨む取り付け姿勢で付き、両第１仕切り板３０，３０を物品出入れ口Ｃに対するカバーに利用しながらコンテナ本体２６の内部の片隅に収納できる。
第１仕切り板３０の非仕切り位置としては、第１仕切り板３０を第２側壁部２５に接近する状態で支持する位置に構成する他、第１仕切り板３０を第２側壁部２５に当接する状態で支持する位置に構成して実施してもよい。この場合も、第１仕切り板３０にコンテナ本体内側からの押圧力が掛かった際に第１仕切り板３０が第２側壁部２５に容易に受け止め支持されるようにしながら第１仕切り板３０を収納できる。
この取付け状態にある第１仕切り板３０をコンテナ本体２６から上方に抜き上げ操作し、第２横側取付け部３６を前記第３切欠き５８から抜き出すとともに底側取付け突起３４を前記第３取付け孔５９から抜き出すことにより、第１仕切り板３０を非仕切り位置から取り外して前記仕切り位置に付け替えられる。
【００３１】
図９及び図１３に示すように、コンテナ本体２６の底部２３に、この底部２３の長手方向及び短手方向に並ぶ配置にしてコンテナ本体２６を成型する際に同時に形成した複数個の矩形の貫通孔２７ａ，２７ｂを備えてあるとともに、この底部２３の物品載置面に、底部２３の長手方向及び短手方向に並ぶ配置にしてコンテナ本体２６を成型する際に同時に形成した複数本の通気用溝２８ａ，２８ｂを備えてある。
前記複数本の通気用溝２８ａ，２８ｂのうちの一部の複数本の通気用溝２８ａはコンテナ本体２６の長手方向に沿う方向の溝で、その他の複数本の通気用溝２８ｂはコンテナ本体２６の短手方向に沿う方向の溝に形成してある。これにより、複数本の通気用溝２８ａ，２８ｂは、全体として格子状に並んでいる。通気用溝２８ａ，２８ｂを底部２３の短手方向及び長手方向の縁部に沿う方向に形成することによって通気用溝２８ａ，２８ｂの全体を格子状にする他、各通気用溝を底部２３の縁部に対して斜めの溝に形成することによって通気用溝２８ａ，２８ｂの全体を格子状にして実施してもよい。
前記複数個の貫通孔２７ａ，２７ｂのうちの一部の複数個の貫通孔２７ａは、前記通気用溝２８ａ，２８ｂに対する通気孔になるようにこの通気用溝２８ａ，２８ｂの内部に配置してある。
前記複数本の通気用溝２８ａ，２８ｂのうちのコンテナ本体２６の長手方向に沿う方向の複数本の通気用溝２８ａは、前記第１仕切り板３０がこれの複数の取付け位置のいずれに取り付けられた場合でもこの第１仕切り板３０を挟む一対の物品収容空間部分の一方と他方とにわたって両収容空間部分を通気のよい状態に連通させる連通溝に形成し、コンテナ本体２６の短手方向に沿う方向の複数本の通気用溝２８ｂは、前記第２仕切り板４０が仕切り位置に取り付けられた場合でもこの第１仕切り板３０を挟む一対の物品収容空間部分Ａ１，Ａ２の一方と他方とにわたって両収容空間部分Ａ１，Ａ２を通気のよい状態に連通させる連通溝に形成してある。
【００３２】
図１３に示すように、底部２３の前記第１取付け孔５１、第２取付け孔５４、第３取付け孔５９のそれぞれが位置する部分の裏面側に、取付け孔５１，５４，５９の周囲に位置する底部分から突出するリブ２９をコンテナ本体２６の成型の際に同時に形成し、取付け孔５１，５４，５９に仕切り板４０，３０が取り付けられた際の仕切り板４０，３０の支持力をリブ２９によって補強するようにしてある。このリブ２９は、取付け孔５１，５４，５９の全周囲にわたるように筒状に形成してある。
【００３３】
つまり、図書などを収容するに当たり、図１７に示すように、書籍類の分類やサイズ、量によって第２仕切り板４０を所定の仕切り位置に、第１仕切り板３０を複数の仕切り位置のうちの適当な仕切り位置にそれぞれ取り付け、仕切り板３０，４０で書籍類を支持させたり、コンテナ本体２６の物品収容空間を複数の仕切り空間部分に仕切るとともにその仕切り空間部分の大きさを調節して書籍類のずれ動きを防止したり、コンテナ全体の重量バランスをよくしたりしながら収容する。あるいは、書籍類を分類分けやサイズ分けしながら収容する。そして、新聞類の場合、図１８に示すように、仕切り板３０，４０を非仕切り位置に取り付け、仕切り板３０，４０をコンテナ本体２６の内部に保管しながら、新聞類をコンテナ本体２６に平置きで収容する。このとき、第２側壁部２５の物品出入れ口Ｃを新聞類が出にくいように仕切り板３０，４０でカバーできる。さらには、図１９に示すように、新聞類などの大きさによっては、第２仕切り板４０を非仕切り位置に取り付けるとともにこの第２仕切り板４０と第２側壁部２５との間に第１仕切り板３０を収納し、仕切り板３０，４０をコンテナ本体２６の内部に収容しながらコンテナ本体２６の物品収容空間を広くする。殊に書籍類や新聞類を収容した際、仕切り板３０，４０を仕切り位置に取り付けて収容物をコンテナ本体内の片側に寄せた場合でも、収容物とコンテナ本体２６の底部２３との間に通気用溝２８ａ、２８ｂ、及び、この通気用溝２８ａ、２８ｂに位置する貫通孔２７ａを介して通気を図り、収容物が湿気ることの回避を図れる。
【００３４】
底部２３の前記貫通孔２７ａ，２７ｂ、前記第１取付け孔５１、第２取付け孔５４、第３取付け孔５９のうちの第１取付け孔５１、第２取付け孔５４、第３取付け孔５９のそれぞれは、底部２３の強度低下が発生しにくいように、貫通孔２７ａ，２７ｂより小径の孔に形成してある。取付け孔５１，５４，５９としては、貫通孔２７ａ，２７ｂより小径の孔を採用する他、底部２３の強度低下が生じにくいように、貫通孔２７ａ，２７ｂと同一の大きさの孔を採用したり、貫通孔２７ａ，２７ｂよりもやや大きい孔を採用して実施してもよい。
【００３５】
図１４に示すように、前記一対の第１側壁部２４，２４それぞれの外面側の下部に、前記左右一対の引出し係止部２０，２０と前記検出対象部２１とを形成する一対の板部分をコンテナ本体２６の成型時に同時に形成してある。図８に示すように、前記一対の第２側壁部２５，２５それぞれの外面側の下部に、前記ローラ係止溝２２をコンテナ本体２６の成型時に同時に形成してある。
【００３６】
前記一対の第１側壁部２４，２４それぞれの上端面に、第１側壁部２４の両端側に分散する一対のずれ止め突起６１，６１をコンテナ本体２６の成型時に同時に形成してある。下段側のコンテナＣＳの側壁部２４，２５の上端面に上段側のコンテナＣＳの底部２３が載るようにしてコンテナＣＳを積み重ねると、両第１側壁部２４，２４それぞれの前記ずれ止め突起２６が上段側コンテナＣＳの底部２３の凹入部に入り込み、上段側コンテナＣＳが下段側コンテナＣＳに対して長手方向にも短手方向にもずれ動くことを規制するように上段側コンテナＣＳに対して係止作用する。これにより、コンテナＣＳを格納するとか運搬するとかの際、下段側のコンテナＣＳと上段側のコンテナＣＳとをずれ動いて崩れにくいように積み重ねられる。
【００３７】
図９に示すように、前記複数個の第３取付け孔５９と一直線状に並ぶように配置して底部２３に設けた一対の第４取付け孔５９ａ，５９ａと、前記複数個の第３取付け孔５９のうちの一部の第３取付け孔５９とにより、前記一対の第１仕切り板３０を前記第３切欠き５８と第３取付け孔５９とによってコンテナ本体２６の長手方向での端側に位置する前記非仕切り位置よりもコンテナ本体２６の長手方向での中央側に寄った中央側非仕切り位置に取り付けるための取付け部を構成してある。すなわち、一方の第１仕切り板３０の前記複数個の底側取付け突起３４を前記一対の第４取付け孔５９ａ，５９ａのうちの一方の第４取付け孔孔５９ａと、この第４取付け孔５９ａと一方の第１側壁部２４との間に位置する前記第３取付け孔５９とに各別に挿入し、他方の第１仕切り板３０の前記複数個の底側取付け突起３４を前記一対の第４取付け孔５９ａ，５９ａのうちの他方の第４取付け孔孔５９ａと、この第４取付け孔５９ａと他方の第１側壁部２４との間に位置する前記第３取付け孔５９とに各別に挿入する。すると、各第１仕切り板３０，３０の底側が複数本の底側取付け突起３４を介してコンテナ本体２６の底部２３にこの底部の物品載置面に沿う方向にずれ動かないように係止される状態になる。これにより、図１０及び図１８に二点鎖線で示すように、各第１仕切り板３０，３０は一方の第２側壁部２５のコンテナ長手方向での中央側に位置する中央側非仕切り位置に第２側壁部２５の内面側に接近するとともに沿う方向の取付け姿勢で、かつ、第２側壁部２５の物品出入れ口Ｃの中央側に臨む取付け姿勢で付き、両第１仕切り板３０，３０を物品出入れ口Ｃの中央側に対するカバーに利用しながらコンテナ本体２６の内部の片隅に収納できる。この場合、両第１仕切り板３０，３０が物品出入れ口Ｃをコンテナ本体長手方向に複数個に分割する状態になり、第１仕切り板３０を前記端側非仕切り位置に取り付けた場合に比し、第１仕切り板３０でカバーされないで残る物品出入れ口部分のコンテナ本体長手方向での大きさが小さくなる。これにより、物品を物品出入れ口Ｃからより一層出にくくしながら収容できる。各第１仕切り板３０を前記中央側非仕切り位置に取り付ける場合、傾斜横側縁部がコンテナ本体２６の長手方向での中央側に位置する取付け姿勢にして取り付ける他、傾斜横側縁部がコンテナ本体２６の長手方向での端側に位置するように反転させた取付け姿勢にして取り付けてもよい。
【００３８】
前記大型コンテナＣＬは、図２０に示す如く小型コンテナＣＳのコンテナ本体２６より横幅（短手方向）と高さが大きく、奥行き（長手方向）が小型コンテナＣＳのコンテナ本体２６と同じであるコンテナ本体２６と、図２２に示す如く横向きの突条リブ３２と上下向きの突条リブ３３とを小型コンテナＣＳの第１仕切り板３０より数多く備える第１仕切り板３０と、図２１に示す如く小型コンテナＣＳの第２仕切り板４０より高さが高い第２仕切り板４０とによって構成してある。第１仕切り板３０及び第２仕切り板４０の取付け構造、コンテナ本体２６の底部２３の構造などは、小型コンテナＣＳのものと同様に構成してある。
【００３９】
〔別実施形態〕
図２３は別の実施形態を備える引出し係止部２０を示し、コンテナ本体２６の第１側壁部２４の外面側に、第１側壁部２４の横幅方向に間隔２０ａを隔てて並ぶ左右一対の折曲げ板状体を突設け、一方の折曲げ板状体によって左右一対の引出し係止部２０の一方を形成し、他方の折曲げ板状体によって他方の引出し係止部２０を形成してある。
【００４０】
図２４は、第１仕切り板３０及び第２仕切り板４０の底側をコンテナ本体２６の底部２３に取り付けるための別の実施形態を備える取付け構造を示し、第１仕切り板３０及び第２仕切り板４０の底縁部から下向きに突出するとともに大径部３４ａ，４４ａ及びスリット３４ｂ，４４ｂを備える底側取付け突起３４，４４と、コンテナ本体２６の底部２３の環状溝Ｍを備える取付け孔５１，５４，５９とによって構成してある。
すなわち、底側取付け突起３４，４４を取付け孔５１，５４，５９に挿入する際、底側取付け突起３４，４４の大径部３４ａ，４４ａがスリット３４ｂ，４４ｂのために縮径側に弾性変形しながら取付け孔５１，５４，５９に入り込んでいき、仕切り板３０，４０が所定の取り付け位置になると、大径部３４ａ，４４ａが取付け孔５１，５４，５９の内部の環状溝Ｍに弾性復元して入り込む。すると、大径部３４ａ，４４ａが環状溝Ｍの内部で底部２３に係止し、仕切り板３０，４０の抜け止めを図る。そして、仕切り板３０，４０を前記大径部３４ａ，４４ａの係止力によって決まる設定力以上の力で抜き上げ操作すると、大径部３４ａ，４４ａが縮径側に弾性変形しながら環状溝Ｍから抜け外れ、仕切り板３０，４０を底部２３から取り外せる。
【００４１】
図２５は、第１仕切り板３０及び第２仕切り板４０の横側をコンテナ本体２３の側壁部２４，２５に取り付けるための別の実施形態を備える取付け構造を示し、仕切り板３０，４０の横端部から突出するとともにフック部３５ａ，４５ａを備える横側取付け部３５，４５と、側壁部２４，２５の突起５０ａ，５３ａ，５６ａを備える切欠き５０，５３，５６とによって構成してある。すなわち、横側取付け部３５，４５を切欠き５０，５３，５６に上方から差し込んで仕切り板３０，４０の横側を側壁部２４，２５に取り付ける。すると、横側取付け部３５，４５のフック部３５ａ，４５ａが切欠き５０，５３，５６の突起５０ａ，５３ａ，５６ａに引っ掛かり、仕切り板３０，４０が側壁部２４，２５からコンテナ本体２６の内側に抜け外れることを防止する。
【００４２】
図２６は、別の実施形態を備える通気用溝２８ａ，２８ｂを示し、この通気用溝２８ａ，２８ｂは、この通気用溝２８ａ，２８ｂの端部に連通するようにして側壁部２４，２５に設けた貫通孔２４ｂ，２５ｂを介してコンテナ本体２６の横外側に開口し、コンテナ本体２６の横外側からも通気するように構成してある。
【００４３】
第１仕切り板３０及び第２仕切り板４０を、透明の仕切り板に作製してある。この場合、仕切り板を透してコンテナ本体２６の内部や収容物品を見たり、収容図書に記載されている文字や記号を見たりして、物品が収容されているか否かを判断するとか、収容物品の種類や分類などを判断することができる。このため、コンテナを棚に載せたままにしても、その内部や収容物品を見て物品収容が未だできるものを容易に探し出したり、所望の種類や分類の物品を収容するものを容易に探し出したりできる。
【００４４】
側壁部２４，２５の前記切欠き５０，５６、及び、第２仕切り板４０の凹入部５７に替え、側壁部２４，２５や第２仕切り板４０から物品収容空間の方に突出して第１仕切り板３０を係止する突条など採用して実施してもよい。したがって、これら切欠き５０，５６、凹入部５７、突条などを総称して係止部と呼称する。
【図面の簡単な説明】
【図１】図書類保管システム全体の概略図
【図２】図書類収納棚の一部の正面図
【図３】図書類収納棚の一部の平面図
【図４】移載装置の断面図
【図５】移載装置のコンテナ取出し作動の説明図
【図６】移載装置のコンテナ取出し作動の説明図
【図７】移載装置のコンテナ取出し作動の説明図
【図８】小型コンテナ全体の斜視図
【図９】小型コンテナの仕切り板使用状態での平面図
【図１０】小型コンテナの仕切り板収納状態での平面図
【図１１】長手仕切り板全体の側面図
【図１２】短手仕切り板全体の側面図
【図１３】底部の断面図
【図１４】引出し係止部の断面図
【図１５】短手仕切り板の横側取付け部および長手仕切り板の凹入部の斜視図
【図１６】長手仕切り板における短手仕切り板取付け構造の断面図
【図１７】コンテナの使用状態を示す説明図
【図１８】コンテナの使用状態を示す説明図
【図１９】短手仕切り板の収納状態を示す説明図
【図２０】大型コンテナのコンテナ本体の平面図
【図２１】大型コンテナの長手仕切り板の側面図
【図２２】大型コンテナの短手仕切り板の側面図
【図２３】別の実施形態を備える引出し係止部の斜視図
【図２４】別の実施形態を備える仕切り板底側の取付け構造の断面図
【図２５】別の実施形態を備える仕切り板横側の取付け構造の断面図
【図２６】別の実施形態を備える通気用溝の断面図
【符号の説明】
２３              底部
２６              コンテナ本体
２７ａ，２７ｂ    貫通孔
２９              リブ
３０              仕切り板（短手仕切り板）
４０              仕切り板（長手仕切り板）
５１，５４        取付け孔
５３，５７，５８  係止部
【図１】
0003637951.tif 000002
【図２】
0003637951.tif 000003
【図３】
0003637951.tif 000004
【図４】
0003637951.tif 000005
【図５】
0003637951.tif 000006
【図６】
0003637951.tif 000007
【図７】
0003637951.tif 000008
【図８】
0003637951.tif 000009
【図９】
0003637951.tif 000010
【図１０】
0003637951.tif 000011
【図１１】
0003637951.tif 000012
【図１２】
0003637951.tif 000013
【図１３】
0003637951.tif 000014
【図１４】
0003637951.tif 000015
【図１５】
0003637951.tif 000016
【図１６】
0003637951.tif 000017
【図１７】
0003637951.tif 000018
【図１８】
0003637951.tif 000019
【図１９】
0003637951.tif 000020
【図２０】
0003637951.tif 000021
【図２１】
0003637951.tif 000022
【図２２】
0003637951.tif 000023
【図２３】
0003637951.tif 000024
【図２４】
0003637951.tif 000025
【図２５】
0003637951.tif 000026
【図２６】
0003637951.tif 000027